(57)【要約】【課題】顧客が漫画内のお気に入りコマを選択してプリント出力する。【解決手段】本実施形態に係る画像プリントシステムは、画像を印画紙にプリントするプリンタを有する画像プリント装置と、前記画像プリント装置と通信可能に接続され、漫画の複数ページの画像データを記憶するサーバ装置と、を備える。前記画像プリント装置は、前記漫画内のページの指定を受け付ける操作受付部と、前記指定されたページの画像を前記サーバ装置から取得する画像取得部と、取得した画像をコマ枠に基づいて複数のコマに分割する分割部と、前記コマの選択を受け付けるコマ選択部と、選択されたコマの画像を前記プリンタからプリント出力させるプリント処理部と、を有する。【選択図】図１
2020053790.tif 000002
【特許請求の範囲】
【請求項１】
画像を印画紙にプリントするプリンタを有する画像プリント装置と、
前記画像プリント装置と通信可能に接続され、漫画の複数ページの画像データを記憶するサーバ装置と、
を備え、
前記画像プリント装置は、
前記漫画内のページの指定を受け付ける操作受付部と、
前記指定されたページの画像を前記サーバ装置から取得する画像取得部と、
取得した画像をコマ枠に基づいて複数のコマに分割する分割部と、
前記コマの選択を受け付けるコマ選択部と、
選択されたコマの画像を前記プリンタからプリント出力させるプリント処理部と、
を有することを特徴とする画像プリントシステム。
【請求項２】
前記画像プリント装置は、選択されたコマの画像に着色を行う着色部をさらに備え、
前記プリンタは、着色された画像を印画紙にプリントすることを特徴とする請求項１に記載の画像プリントシステム。
【請求項３】
前記画像プリント装置は、選択されたコマ内の台詞を編集する編集部をさらに備えることを特徴とする請求項１又は２に記載の画像プリントシステム。
【請求項４】
漫画の複数ページの画像データを記憶するサーバ装置と通信可能に接続された画像プリント装置であって、
前記漫画内のページの指定を受け付ける操作受付部と、
前記指定されたページの画像を前記サーバ装置から取得する画像取得部と、
取得した画像をコマ枠に基づいて複数のコマに分割する分割部と、
前記コマの選択を受け付けるコマ選択部と、
選択されたコマの画像を印画紙にプリントして出力するプリンタと、
を備えることを特徴とする画像プリント装置。
【発明の詳細な説明】
【技術分野】
【０００１】
本発明は、画像プリントシステム及び画像プリント装置に関する。
【背景技術】
【０００２】
アーティストやスポーツ選手等を撮影し、プリントした写真（ブロマイド）を販売する画像販売サービスが提供されている。例えば、サービス提供者は、撮影画像データを登録したセルフプリント機を店舗に設置する。顧客は、セルフプリント機を操作し、販売画像一覧から購入したい画像を選択し、貨幣を投入する。セルフプリント機は、内蔵するプリンタを使用して、顧客から選択された画像を用紙にプリントして写真を作製する。
【０００３】
アニメ関連のイベントで設置されたセルフプリント機は、アニメのワンシーンやキャラクターブロマイドをプリントして販売していた。しかし、従来のセルフプリント機は、事前に登録された画像のみがプリント可能であり、顧客が気に入っているシーンをプリントできないことがあった。
【先行技術文献】
【特許文献】
【０００４】
【特許文献１】特開２００２−２３６７７１号公報
【発明の概要】
【発明が解決しようとする課題】
【０００５】
本発明は、顧客が漫画のお気に入りコマを選択してプリント出力できる画像プリントシステム及び画像プリント装置を提供することを課題とする。
【課題を解決するための手段】
【０００６】
本発明による画像プリントシステムは、画像を印画紙にプリントするプリンタを有する画像プリント装置と、前記画像プリント装置と通信可能に接続され、漫画の複数ページの画像データを記憶するサーバ装置と、を備え、前記画像プリント装置は、前記漫画内のページの指定を受け付ける操作受付部と、前記指定されたページの画像を前記サーバ装置から取得する画像取得部と、取得した画像をコマ枠に基づいて複数のコマに分割する分割部と、前記コマの選択を受け付けるコマ選択部と、選択されたコマの画像を前記プリンタからプリント出力させるプリント処理部と、を有するものである。
【０００７】
本発明の一態様では、前記画像プリント装置は、選択されたコマの画像に着色を行う着色部をさらに備え、前記プリンタは、着色された画像を印画紙にプリントする。
【０００８】
本発明の一態様では、前記画像プリント装置は、選択されたコマ内の台詞を編集する編集部をさらに備える。
【０００９】
本発明による画像プリント装置は、漫画の複数ページの画像データを記憶するサーバ装置と通信可能に接続された画像プリント装置であって、前記漫画内のページの指定を受け付ける操作受付部と、前記指定されたページの画像を前記サーバ装置から取得する画像取得部と、取得した画像をコマ枠に基づいて複数のコマに分割する分割部と、前記コマの選択を受け付けるコマ選択部と、選択されたコマの画像を印画紙にプリントして出力するプリンタと、を備えるものである。
【発明の効果】
【００１０】
本発明によれば、顧客が漫画内のお気に入りコマを選択してプリント出力できる。
【図面の簡単な説明】
【００１１】
【図１】本発明の実施形態に係る画像プリントシステムの概略図である。
【図２】（ａ）〜（ｃ）は画像プリント装置の操作画面の遷移の例を示す図である。
【図３】（ａ）〜（ｃ）は画像プリント装置の操作画面の遷移の例を示す図である。
【図４】画像プリント装置の構成図である。
【図５】画像プリント装置の機能ブロック図である。
【図６】サーバ装置の構成及び機能ブロックを示す図である。
【図７】同実施形態に係る画像プリント方法を説明するフローチャートである。
【発明を実施するための形態】
【００１２】
以下、本発明の実施の形態を図面に基づいて説明する。
【００１３】
図１に示すように、本発明の実施形態に係る画像プリントシステムは、画像プリント装置１及びサーバ装置２を備える。画像プリント装置１は、インターネット等の通信ネットワークを介して、サーバ装置２と通信可能となっている。
【００１４】
画像プリント装置１は、顧客から、漫画内の好みのコマの選択を受け付け、選択されたコマの画像を印画紙３にプリントして出力する。
【００１５】
まず、顧客は、漫画タイトルを選択する。例えば、画像プリント装置１のタッチパネル１１の入力画面を操作して、漫画のタイトルを入力する。
【００１６】
漫画タイトルを選択すると、タッチパネル１１には、図２（ａ）に示すような選択画面が表示される。顧客は、タブＴ１やＴ２を押して、図２（ｂ）（ｃ）に示すように、第何巻の第何話からコマを選択するか指定する。タブＴ１を押して指定した巻の表紙が画像表示領域Ｇに表示されてもよい。
【００１７】
画像プリント装置１に設けられた読取機１３（図４参照）に、顧客が所有する漫画の表紙に印刷されたバーコード（ＪＡＮコード）をかざして商品識別コードを入力し、漫画及び巻をまとめて指定してもよい。
【００１８】
あるいはまた、サービス提供者が、所定の漫画を識別するための２次元コードやバーコードを印刷したクーポンを顧客に配布し、顧客がクーポンを読取機１３にかざすことで、漫画、巻、話が指定されるようにしてもよい。
【００１９】
顧客が巻・話を選択し、決定ボタンＴ３を押すと、画像プリント装置１は、選択された話の第１頁の画像をサーバ装置２から取得する。取得した画像は画像表示領域Ｇに表示される。
【００２０】
顧客が図３（ａ）に示す次頁ボタンＴ４や前頁ボタンＴ５等のページ切替ボタンを押すと、画像プリント装置１は、対応するページの画像をサーバ装置２から取得して表示し、表示ページを切り替える。
【００２１】
画像プリント装置１は、サーバ装置２から画像を取得すると、コマ割りに基づいて、画像を１又は複数のコマに分割し、各コマが選択できるようにタッチパネル１１に表示する。顧客は好みのコマを見つけると、図３（ｂ）に示すようにコマを選択する。
【００２２】
画像プリント装置１は、図３（ｃ）に示すような、選択されたコマの拡大画面を表示する。顧客が変更ボタンＴ７を押すと、図３（ｂ）の画面に戻る。顧客が承認ボタンＴ６を押すと、画像プリント装置１はプリント処理を行い、選択されたコマの画像を印画紙にプリントして出力する。
【００２３】
このように、本実施形態によれば、顧客は、自分の好きな漫画の任意のコマを選択し、プリント出力できる。
【００２４】
漫画は、白黒画像（線画）が多いが、選択されたコマ画像に対し自動着色を行ってカラー画像を生成し、カラー画像をプリント出力してもよい。
【００２５】
次に、画像プリント装置１について説明する。図４は画像プリント装置１のブロック構成図である。画像プリント装置１は、ＣＰＵ（中央処理演算部）１０、タッチパネル１１、プリンタ１２、読取機１３、記憶部１４、通信部１５等を備える。
【００２６】
タッチパネル１１は、表示部及び顧客からの操作を受け付ける操作受付部の機能を有し、上述した各種選択画面を表示する。タッチパネル１１は１つでもよいし、複数設けられていてもよい。
【００２７】
プリンタ１２は、昇華型又はインクジェット型などの高解像度カラープリンタであり、顧客が選択したコマ画像をプリントして出力する。
【００２８】
読取機１３は、二次元コードやバーコードを読み取るものである。
【００２９】
記憶部１４は、ハードディスクドライブ、ＲＯＭ、ＲＡＭ等からなり、制御プログラム、画像プリントプログラム、漫画情報等を格納する。漫画情報は、コマ画像のプリントサービスが提供可能な漫画のタイトル、発行巻数、各巻の話数等の情報を含む。
【００３０】
ＣＰＵ１０が制御プログラムを実行することで、画像プリント装置１の各部を制御する制御部として機能する。
【００３１】
ＣＰＵ１０が画像プリントプログラムを実行することで、図５に示すように、漫画選択部１０１、ページ切替部１０２、画像取得部１０３、分割部１０４、コマ選択部１０５、プリント処理部１０６の機能が実現される。また、着色部１０７の機能がさらに実現されてもよい。
【００３２】
漫画選択部１０１は、タッチパネル１１にタイトル選択画面を表示させ、顧客から漫画タイトルの入力を受け付ける。タイトルが入力されると、漫画選択部１０１は、漫画情報を用いて、図２（ａ）に示すような巻・話選択画面をタッチパネル１１に表示させ、顧客から巻・話の選択を受け付ける。
【００３３】
ページ切替部１０２は、タッチパネル１１に表示されたページ切替ボタンを介して、顧客から表示ページの切り替え指示を受け付ける。
【００３４】
画像取得部１０３は、選択された漫画・巻・話における指示されたページの情報を、通信部１５を用いてサーバ装置２に通知して画像を要求し、このページの画像をサーバ装置２から取得する。
【００３５】
分割部１０４は、サーバ装置２から取得した画像のコマ枠（コマ割り）に基づいて、画像を複数のコマ画像に分割する。
【００３６】
コマ選択部１０５は、サーバ装置２から取得した画像を、各コマ画像が選択可能となるように、タッチパネル１１に表示し、顧客からコマ画像の選択を受け付ける。
【００３７】
プリント処理部１０６は、選択されたコマ画像のデータをプリンタ１２へ転送し、プリント出力させる。
【００３８】
着色部１０７は、選択されたコマ画像に対し、自動着色を施す。自動着色処理には、公知の機械学習を用いて線画に自動着色する機能を用いることができる。複数の着色パターンを顧客に提示し、顧客が選択するようにしてもよい。
【００３９】
次に、サーバ装置２の構成について説明する。図６に示すように、サーバ装置２は、多数の漫画の巻・話・頁毎の画像データを格納する記憶部２０を備えたコンピュータである。記憶部２０には、ＣＰＵが各種の処理を実行するために必要なプログラムやデータ等が記憶されており、ハードディスクや半導体メモリ等が用いられる
【００４０】
サーバ装置２のＣＰＵが記憶部２０に記憶されているプログラムを実行することで、画像要求受付部２１、画像検索部２２及び画像送信部２３の機能が実現される。
【００４１】
画像要求受付部２１は、画像プリント装置１から、漫画のタイトル、巻、話、ページ番号等の情報を含む画像要求を受け付ける。
【００４２】
画像検索部２２は、画像要求に基づいて記憶部２０を検索し、対応するページの画像を取り出す。
【００４３】
画像送信部２３は、記憶部２０から取り出した画像データを画像プリント装置１へ送信する。
【００４４】
次に、本実施形態に係る画像プリント方法を図７に示すフローチャートを用いて説明する。
【００４５】
顧客が、画像プリント装置１に漫画のタイトルを入力する（ステップＳ１）。例えば、タッチパネル１１に表示された５０音検索画面等を操作し、タイトルを入力（選択）する。
【００４６】
画像プリント装置１が、タッチパネル１１に巻・話を選択する選択画面を表示する。顧客は、選択画面を操作して、巻・話を選択する（ステップＳ２）。
【００４７】
画像プリント装置１は、選択された漫画タイトル、巻、話の第１頁の画像をサーバ装置２から取得し、コマ枠に基づいてコマ分割し、タッチパネル１１に表示する（Ｓ３〜Ｓ５）。
【００４８】
顧客からページ切り替え指示を受け付けると（ステップＳ６＿Ｙｅｓ）、画像プリント装置１は新たなページの画像データをサーバ装置２から取得し（ステップＳ７）、コマ枠に基づいてコマ分割し、タッチパネル１１に表示する（ステップＳ４、Ｓ５）。
【００４９】
顧客がコマ画像を選択すると（ステップＳ８）、画像プリント装置１は、選択されたコマ画像を印画紙にプリントして出力する（ステップＳ９）。
【００５０】
このように、本実施形態によれば、顧客が漫画内のお気に入りのコマを選択してプリント出力できる。
【００５１】
漫画タイトルの入力方法は、タッチパネル１１を用いた手入力や、読取機１３によるコード情報の読み取りに限定されず、例えば、画像プリント装置１に設けた撮影部で顧客が所持する漫画の表紙絵を撮影し、撮影画像から漫画タイトルや巻数を特定してもよい。
【００５２】
漫画は単行本でなく雑誌でもよい。雑誌の場合は雑誌タイトル、発行年、号数などを選択する。
【００５３】
上記実施形態において、複数コマの選択を受け付け、１枚の印画紙に複数コマをプリントするようにしてもよい。
【００５４】
画像プリント装置１に貨幣の投入を受け付ける入金部、釣り銭を支払う出金部等を設け、コマ画像のプリント毎に料金を請求してもよい。
【００５５】
画像プリント装置１は、顧客が選択したコマ画像内の台詞を変更する台詞編集機能を有していてもよい。
【００５６】
上記実施形態では、漫画タイトルの全巻、全ページから好みのコマを選択できる例について説明したが、予め絞り込まれたコマの中から、顧客が好みのコマを選択するモードを備えていてもよい。また、画像プリント装置１がランダムにコマを選択してプリント出力するモードを備えていてもよい。また、コマ別の人気や売上を集計し、人気や売上の順にコマを表示し、顧客から選択を受け付けてもよいし、画像プリント装置１が人気や売上に基づいてコマを自動選択してプリント出力してもよい。
【００５７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５８】
１  画像プリント装置
２  サーバ装置
【図１】
2020053790.tif 000003
【図２】
2020053790.tif 000004
【図３】
2020053790.tif 000005
【図４】
2020053790.tif 000006
【図５】
2020053790.tif 000007
【図６】
2020053790.tif 000008
【図７】
2020053790.tif 000009